(57)【要約】【課題】  地球環境の保護が図れる傘の構造を提供すること。【解決手段】  棒状のシャフトと、カバーと、シャフトに結合しカバーを支える円弧状の骨部材である主骨と、シャフトに結合し主骨を支える骨部材である支骨と、シャフトの一端に設けた取手と、シャフトの他端に着脱自在に設けた石突とを具備した傘の構造であって、傘の主骨とシャフトが交わる頂部と、支骨の両端に位置する可動部とを分解及び組立可能に構成したことを特徴とする、傘の構造。【選択図】  図１
0003114175.tif 000002
【実用新案登録請求の範囲】
【請求項１】
棒状のシャフトと、カバーと、シャフトに結合しカバーを支える円弧状の骨部材である主骨と、シャフトに結合し主骨を支える骨部材である支骨と、シャフトの一端に設けた取手と、シャフトの他端に着脱自在に設けた石突とを具備した傘の構造であって、
傘の主骨とシャフトが交わる頂部と、支骨の両端に位置する可動部とを分解及び組立可能に構成したことを特徴とする、
傘の構造。
【請求項２】
請求項１に記載の傘の構造において、
前記頂部は、棒状の主骨連結具と、紐状の主骨固定リングと、主骨固定リングを嵌入可能な上部外管溝を有する上部外管と、上部外管を覆う上部外管蓋とを有し、
主骨連結具は主骨固定リングを挿入しうる貫通孔と、主骨の先端を挿入する挿入孔を有し、
主骨固定リングを貫通孔に貫通させると共に、上部外管溝に嵌入することで、主骨連結具と上部外管とを着脱可能に結合し、
挿入孔に主骨を着脱可能に結合して分解及び組み立て可能に構成したことを特徴とする、
傘の構造。
【請求項３】
請求項１に記載の傘の構造において、
前記可動部は、棒状の支骨連結具と、紐状の支骨固定リングと、支骨固定リングを嵌入可能な支骨留溝を有する支骨留と、棒状で主骨支骨リングを挿入しうる支骨側貫通孔を有し、端部に支骨の先端を挿入する支骨挿入孔を有する、主骨支骨連結具と、円筒部と主骨側貫通孔を有する板状部より構成する主骨支骨留と、紐状の主骨支骨リングとを有し、
支骨連結具は支骨固定リングを挿入しうる貫通孔と、支骨の先端を挿入する挿入孔を有し、
支骨固定リングを貫通孔に貫通させると共に、支骨留溝に嵌入することで、支骨連結具と支骨留とを着脱可能に結合し、
主骨支骨留の円筒部に主骨を位置すると共に、主骨支骨リングを主骨側貫通孔と支骨側貫通孔に貫通させることで、主骨支骨留と主骨支骨連結具とを着脱可能に結合し、
支骨連結具の挿入孔と主骨支骨連結具の支骨挿入孔に支骨を着脱可能に結合して、分解及び組み立て可能に構成したことを特徴とする、
傘の構造。
【請求項４】
請求項２に記載の傘の構造において、
上部外管蓋と石突の間に当材を配置し、
上部外管蓋と当材とでカバーを挟持して分解及び組み立て可能に構成したことを特徴とする、
傘の構造。
【請求項５】
請求項１乃至４の何れかに記載の傘の構造において、
傘の構造を、シャフトが伸縮して骨が折りたたみ可能である、折り畳み傘に適用したことを特徴とする、
傘の構造。
【考案の詳細な説明】
【技術分野】
【０００１】
本考案は、傘の構造に関するものである。特に組み立て分解可能な傘の構造に関するものである。
【背景技術】
【０００２】
従来の傘の構造は、分解不可能な構成であり、傘の構造は各部品を分解不可能に構成したものであった。
また、交換することも可能であったが、消費者が手軽に交換しうるものでなく、専門の業者などによらねば交換し得ないものであった。
【考案の開示】
【考案が解決しようとする課題】
【０００３】
上記した従来の傘の構造には次のような問題点がある。
（１）  傘の構造が分解不可能なため、傘の一部が壊れた場合には、全体を交換する必要がある。
（２）  カバーのみ交換することが困難であるため、一つの傘で多様なデザインのカバーを利用することが不可能である。
（３）  傘の各部品を交換する際の作業性が困難である。
（４）  傘の一部が損壊しただけで全体を交換する必要性が有り、資源の大量浪費につながり、ひいては環境破壊につながるものであった。
【０００４】
本考案は以上の点に鑑みて成されたもので、その目的とするところは、地球環境の保護が図れる傘の構造を提供することにある。
また、損傷した場合の対応性に優れた傘の構造を提供することにある。
【課題を解決するための手段】
【０００５】
上記の課題を達成するため、本願の第１考案に係る傘の構造は、棒状のシャフトと、カバーと、シャフトに結合しカバーを支える円弧状の骨部材である主骨と、シャフトに結合し主骨を支える骨部材である支骨と、シャフトの一端に設けた取手と、シャフトの他端に着脱自在に設けた石突とを具備した傘の構造であって、傘の主骨とシャフトが交わる頂部と、支骨の両端に位置する可動部とを分解及び組立可能に構成したことを特徴とするものである。
【０００６】
本願の第２考案に係る傘の構造は、第１考案に記載の傘の構造において、前記頂部は、棒状の主骨連結具と、紐状の主骨固定リングと、主骨固定リングを嵌入可能な上部外管溝を有する上部外管と、上部外管を覆う上部外管蓋とを有し、主骨連結具は主骨固定リングを挿入しうる貫通孔と、主骨の先端を挿入する挿入孔を有し、主骨固定リングを貫通孔に貫通させると共に、上部外管溝に嵌入することで、主骨連結具と上部外管とを着脱可能に結合し、挿入孔に主骨を着脱可能に結合して分解及び組み立て可能に構成したことを特徴とするものである。
【０００７】
本願の第３考案に係る傘の構造は、第１考案に記載の傘の構造において、前記可動部は、棒状の支骨連結具と、紐状の支骨固定リングと、支骨固定リングを嵌入可能な支骨留溝を有する支骨留と、棒状で主骨支骨リングを挿入しうる支骨側貫通孔を有し、端部に支骨の先端を挿入する支骨挿入孔を有する、主骨支骨連結具と、円筒部と主骨側貫通孔を有する板状部より構成する主骨支骨留と、紐状の主骨支骨リングとを有し、支骨連結具は支骨固定リングを挿入しうる貫通孔と、支骨の先端を挿入する挿入孔を有し、支骨固定リングを貫通孔に貫通させると共に、支骨留溝に嵌入することで、支骨連結具と支骨留とを着脱可能に結合し、主骨支骨留の円筒部に主骨を位置すると共に、主骨支骨リングを主骨側貫通孔と支骨側貫通孔に貫通させることで、主骨支骨留と主骨支骨連結具とを着脱可能に結合し、支骨連結具の挿入孔と主骨支骨連結具の支骨挿入孔に支骨を着脱可能に結合して、分解及び組み立て可能に構成したことを特徴とするものである。
【０００８】
本願の第４考案に係る傘の構造は、第２考案に記載の傘の構造において、上部外管蓋と石突の間に当材を配置し、上部外管蓋と当材とでカバーを挟持して分解及び組み立て可能に構成したことを特徴とするものである。
【０００９】
本願の第５考案に係る傘の構造は、第１考案乃至第４考案の何れかに記載の傘の構造において、傘の構造を、シャフトが伸縮して骨が折りたたみ可能である、折り畳み傘に適用したことを特徴とするものである。
【考案の効果】
【００１０】
以上説明したように、本考案によれば、少なくとも次の何れかひとつの効果を得ることができる。
（１）  傘の構造を組み立て分解可能に構成したことで、傘の部品の一部が損傷しても、損傷部品のみの交換で傘全体が利用可能である。
（２）  破損部品のみ交換可能なため、傘全体を良好な状態で長く使用可能である。
（３）  傘の部品の一部が損壊しても、傘そのものを破棄せずに済む。そのため廃材の発生を抑えることができる。これにより資源の有効利用に資するとともに、地球環境保護にも資する。
（４）  傘の各部品はネジ式の回転操作等の簡単な変換作業で工具不要であり手で交換可能である。
（５）  カバーのみ交換することが可能なため、一つの傘で多様なデザインのカバーを利用することが可能である。
【考案を実施するための最良の形態】
【００１１】
以下に添付図面を参照しながら，本考案の好適な実施の形態について詳細に説明する。なお，本明細書及び図面において，実質的に同一の機能を有する構成要素については，同一の符号を付することにより重複説明を省略する。
【００１２】
まず，本考案にかかる傘の構造の構成を図面を参照しながら説明する。
【実施例１】
【００１３】
（１）本体部
図１に示すように，本発明の傘の構造は、本体部１を構成する要素として、主にシャフト１０、カバー２０、主骨３０、支骨４０、取手５０、石突６０とから構成される。
シャフト１０と主骨３０との結合する箇所を頂部２とする。
また、支骨４０を中心として、支骨４０とシャフト１０との結合部、支骨４０と主骨３０との結合部、とを含んだ部分を可動部３とする。
本体部１を構成する各部品の素材としては、各種金属、木材、合成樹脂他全てに対応できるものである。布部については布製とすることが一般的に考えられるが、他の素材を利用することも可能である。
【００１４】
（２）頂部
図２に示すように、頂部２の構造は、主に主骨連結具２１、上部外管２２、主骨固定リング２３、上部外管蓋２４、当材２５、石突６０から構成されるものである。
【００１５】
図３には頂部２の主骨連結具２１と上部外管２２と主骨固定リング２３の構成を示す。
上部外管２２はシャフト１０に取付けるためのシャフト１０の径とほぼ一致する通孔２２３を有する中空状に構成する。
また、上部外管２２は表面に環状の溝である、上部外管溝２２２を有し、上部外管溝２２２の幅は主骨固定リング２３を嵌め入れ可能な大きさとする。
主骨固定リング２３は、紐状部材により構成されるもので、紐状部材としては鋼線などが挙げられ、鋼線を上部外管溝２２２の環状に合わせて丸めて構成することが考えられる。
主骨連結具２１は一端を凸状に形成した凸状部２１２を有し、他端には主骨３０を挿入するための挿入孔２１３を有する。
凸状部２１２には主骨固定リング２３が貫通可能なように貫通孔２１１を設ける。
また、挿入孔２１３はメネジ構造とし、主骨３０の端部を対応するオネジ構造とすることで、主骨３０との連結がより強固なものと成る。
【００１６】
頂部２の分解組み立ては、主骨固定リング２３を主骨連結具２１の貫通孔２１１を通して、複数の主骨連結具２１を結びつける。
図４では結合する主骨連結具２１を８個として構成したが、傘が有する主骨３０の本数により、個数を変化させることが出来る。
複数の主骨連結具２１が主骨固定リング２３により結び付けられた状態で、主骨固定リング２３を上部外管溝２２２に嵌め入れると共に、主骨連結具２１の凸状部２１２を上部外管２２の凹状部２２１に嵌め入れる。
凹状部２２１は主骨連結具２１が主骨固定リング２３に固定された点を中心として下方向に回転動可能なように、上部外管２２の下面が開いた状態になるように形成する。
また、主骨連結具２１の挿入孔２１３には主骨３０を連結する。
この際、挿入孔２１３をメネジ構造に、主骨３０の端部をオネジ構造に形成した場合には、それぞれを結合することで、主骨連結具２１と主骨３０をより強固に取付けることが可能となる。
【００１７】
板状で中心にシャフト１０を挿入しうる通孔を有し、上部外管に対応する大きさ上部外管蓋２４を設ける。
図２に示すように、上部外管蓋２４を、上部外管２２に形成した上部外管溝２２２を塞ぐように取り付けることで、上部外管２２から主骨連結具２１が外れないようにする。
また、上部外管蓋２４の上部外管２２に接する辺と対向方向の辺には、環状のゴム部材等で構成された、シール材２４１を設ける。つまりシール材２４１は、石突６０方向の辺に位置するものとなる。
【００１８】
上部外管蓋２４に対応するように、板状で、中心にシャフト１０を挿入しうる通孔を有し、上部外管蓋２４に対応する大きさの当材２５を設ける。
当材２５にも、上部外管蓋２４のシール材２４１に対応する大きさの、シール材２５１を設ける。
【００１９】
シール材２４１とシール材２５１の間にカバー２０を挟みこむと共に、当材２５の上部から、内部をメネジ状に形成した石突６０を、端部をオネジ状に構成したシャフト１０に取り付けて固定する。
【００２０】
（２）可動部
可動部３の構造は、支骨４０の両端に位置する支骨４０とシャフト１０との結合した部分と、主骨３０と支骨４０の結合した部分を取り付け解体可能に構成したものである。
【００２１】
図５に示すように、支骨４０とシャフト１０の結合部の構造は、主に、支骨留３１と外管３３と支骨連結具３２、支骨固定リング３４から構成されるものである。
支骨留３１はシャフト１０を挿入するため端部同士を貫通した通孔３１４を有する中空状の構造である。
支骨留３１はシャフト１０の取手５０取付方向に外管と結合するためにネジ状に構成した突起状の結合部３１３を有し、また支骨留３１は、シャフト１０の取手５０取付方向に位置する表面に、環状の溝である支骨留溝３１２を有する。
支骨留３１には外周に凹状の凹状部３１１を設ける、凹状部３１１は支骨連結具３２が支骨固定リング３４に固定された点を中心として下方向に回転動可能なように、支骨留３１の下面が開いた状態になるように形成する。
支骨留溝３１２の幅は支骨固定リング３４を嵌め入れ可能な大きさに形成する。
外管３３は、支骨留３１のネジ状突起である結合部３１３に対応したメネジ状の結合孔３３１を有し、支骨留３１と外管３３とを結合した際には、支骨留溝３１２が外管３３により塞がれるように構成する。
支骨固定リング３４は、紐状部材により構成され、紐状部材としては鋼線などが挙げられ、鋼線を環状の支骨留溝３１２に合わせて丸めて構成することが考えられる。
支骨連結具３２は一端を凸状に形成した凸状部３２１を有し、他端には支骨４０を挿入するための挿入孔３２３を有する。
凸状部３２１には支骨固定リング３４が貫通可能なように貫通孔３２２を設ける。
また、挿入孔３２３はメネジ構造とし、支骨４０の端部を対応するオネジ構造とすることで、支骨４０との連結がより強固なものとなる。
【００２２】
可動部３の、支骨４０の端部に位置する支骨４０とシャフト１０の結合部の分解組み立ては、支骨固定リング３４を支骨連結具３２の貫通孔３２２を通して、複数の支骨連結具３２を結びつける。
支骨連結具３２の個数としては、例えば８個で構成することが考えられる。ただ、傘が有する主骨３０の本数により、個数を変化させることが出来る。
複数の支骨連結具３２が支骨固定リング３４により結び付けられた状態で、支骨固定リング３４を支骨留溝３１２に嵌め入れると共に、支骨連結具３２の凸状部３２１を支骨留３１の凹状部３１１に嵌め入れる。
また、支骨連結具３２の挿入孔３２３には支骨４０を連結する。
この際、挿入孔３２３をメネジ構造に、支骨４０の端部をオネジ構造に形成した場合には、それぞれを合わせて、支骨連結具３２と支骨４０を連結する。
【００２３】
可動部３の主骨３０と支骨４０の結合部の構造は、主に、主骨支骨留３６と主骨支骨連結具３５と主骨支骨リング３７から構成されるものである。
主骨支骨留３６は一枚の板部材を折り曲げて、円筒部３６１と２枚の板状部３６３を形成し、円筒部３６１は主骨３０とほぼ同一径の主骨挿入孔３６２を有し、板状部３６３には面方向に貫通した孔である、主骨側貫通孔３６４を有する。
主骨支骨連結具３５は棒状で一端に板状部３６３を挟み込む凹状の凹状部３５３を形成する。
凹状部３５３で板状部３６３を挟みこんだ際に、主骨側貫通孔３６４と一致するように、主骨支骨連結具３５を貫通する支骨側貫通孔３５２を形成する。
凹状部３５３は板状部３６３を挟み込んだ状態で、主骨側貫通孔３６４と支骨側貫通孔３５２を中心として、主骨支骨連結具３５が回転可能なように形成する。
また、主骨支骨連結具３５の他端には、支骨４０の径とほぼ同一の挿入口である支骨挿入孔３５１を有する。支骨挿入孔３５１はメネジ構造に形成することも可能である。
主骨支骨リング３７は、紐状部材により構成され、主骨側貫通孔３６４と支骨側貫通孔３５２とに挿入しうる大きさに形成する。また、紐状部材としては鋼線等が挙げられる。
【００２４】
可動部３の、支骨４０の端部に位置する主骨３０と支骨４０の結合部の分解組み立ては、まず、主骨支骨留３６の２枚の板状部３６３間から主骨３０を挿入し、主骨３０が円筒部３６１によって覆われるように取付ける。
さらに、主骨支骨連結具３５の凹状部３５３によって、２枚の板状部３６３を挟みこみ、主骨側貫通孔３６４と支骨側貫通孔３５２とを一致させた状態で、主骨支骨リング３７を両孔に挿入して固定する。
また、支骨挿入孔３５１をメネジ構造に形成した場合は、支骨挿入孔３５１にオネジ構造に形成した支骨４０を挿入して固定する。
【００２５】
図６に示すように、可動部３の主骨３０と支骨４０の結合部の構造は、主骨３０を２つに分割し、シャフト側の主骨３０ａと、傘のカバー端部側の主骨３０ｂとし、円筒部３６１の両端部から挿入する構造とすることも可能である。
この場合は、板状部３６３を２枚形状とすることや、板状部３６３の間から主骨３０を挿入する必要も無い。
【００２６】
主骨を２つに分割した場合には、円筒部３６１の内周をメネジ構造とし、主骨３０ａ、３０ｂの円筒部３６１側端部をオネジ構造とすることで、より主骨の結合が強まるものとなる。
この際に、円筒部３６１の内周のメネジ構造を、円筒部３６１の一端からと他端からのネジ回転方向を逆にする、つまり、主骨３０ａ側のネジ回転方向と、主骨３０ｂ側のネジ回転方向とを逆方向に形成することで、主骨支骨留３６が取付け後に一方向に回転しないものとなる。
つまり主骨３０ａのオネジ構造を左回りに、主骨３０ｂのオネジ構造を右回りに形成することが考えられる。
また、その際には主骨３０ａ、３０ｂの端部のオネジ構造も、円筒部３６１内周部のメネジ構造と合わせて形成する。
【００２７】
主骨３０ａと主骨３０ｂの回転方向が逆方向になるように、円筒部３６１の内周部を形成した場合には、円筒部３６１内に位置する主骨３０ａと３０ｂの端部が互いに接する箇所付近の円筒部３６１を切り取った状態に形成することも出来る。
主骨３０ａと３０ｂの端部が互いに接する箇所付近の円筒部を切り取った場合、円筒部３６１は主骨３０ａ側に位置する円筒部３６１ａと主骨３０ｂ側に位置する円筒部３６１ｂとに分割されるものとなる。
ここで、円筒部３６１ａと円筒部３６１ｂの内周に形成したメネジの構造はネジの回転方向が、それぞれ逆になるものとする。
例えば、円筒部３６１ａ側のメネジ構造を右回りに、円筒部３６１ｂ側のメネジ構造を左回りに形成することが考えられる。
ここで、主骨３０ａを円筒部３６１ａに形成したネジ構造に沿って右回りに回転して挿入し、主骨３０ａの先端を円筒部３６１の切り取った箇所、例えば円筒部３６１の両端部方向からの中心部分に位置させる。ここで主骨支骨留３６の主骨３０での位置を調整することが可能である。
さらに、主骨３０ｂを円筒部３６１ｂに挿入し、形成したネジ構造に沿って左回りに回転していき、主骨３０ｂの先端部を３０ａの先端部と接触するまで挿入する。
主骨３０ａが右回りのネジ構造で、主骨３０ｂが左回りのネジ構造で円筒部３６１に固定されているため、主骨支骨留３６は主骨３０を中心とした回転を起こさないものとなる。
【００２８】
また、円筒部３６１の切り取った部分を、別個独立した円筒状部材で、内周はメネジ構造を有さない主骨接合部３６５とすることも可能である。
主骨接合部３６５により、主骨３０ａと主骨３０ｂが接触する部分を外側から隠すこと、また接触がずれないように保つことが可能である。
なお、主骨接合部３６５は円筒部３６１から取り外れるものでなくても構成可能とする。
【００２９】
（３）ストッパー
ストッパーはシャフト１０内部に設けた棒状部材で両端をオネジ構造に形成したものと、ストッパーの両端に取り付けるメネジ構造の係止部材からなる。
ストッパーは支骨留３１の上部や、上部外管２２の下部に取付けることで、両者の一定以上の移動を防ぐことを可能とする。
ストッパーはシャフト１０の端部から挿入して、外側から係止部材によりストッパーの取付け位置で固定するものである。
ただし、ストッパーは上記のものに限らず、公知のものを利用可能である。
【００３０】
（４）カバー先端留
主骨３０の端部には、先端部に丸みを有し、主骨３０が挿入しうる挿入孔を有するカバー先端留を取り付けることも可能である。
カバー先端留は主骨３０の鋭利な先端部を覆うように取付けることで安全性に資するものでありカバー先端留を設けることで、先端部をより丸みを持ったものにしうる。
カバー先端留の一端には挿入孔を形成し、内部をメネジ構造とし、主骨３０の先端をオネジ構造とすることで、より取り外れ難いものとなる。
また、カバー先端留に紐状のカバー括り付け紐を取り付け、カバー２０にカバー括り付け紐を取付けることで、カバー２０の端部が主骨３０に張り付くものとなる。
なお、カバー先端留は丸みを持ったものでなくとも利用可能である。また、挿入孔を有さず主骨先端を挟み込む形状など公知の形態を利用可能である。
【００３１】
（６）  カバー固定リング
カバー２０の縫い目に孔の開いたリングである、カバー固定リングを取付けることもできる。
主骨３０をカバー固定リングに挿入することで、カバー２０がより主骨３０に張り付くものとなる。
【図面の簡単な説明】
【００３２】
【図１】本考案に係る傘の構造の概観説明図である。
【図２】本考案に係る傘の構造の頂部の説明図である。
【図３】本考案に係る傘の構造の頂部の説明図である。
【図４】本考案に係る傘の構造において、複数の主骨連結具が主骨固定リングによって結合された状態を示す説明図である。
【図５】本考案に係る傘の構造の可動部のシャフトと支骨の結合部付近の説明図である。
【図６】本考案に係る傘の構造の可動部の主骨と支骨の結合部の説明図である。
【符号の説明】
【００３３】
１        本体部
２        頂部
３        可動部
１０      シャフト
２０      カバー
２１      主骨連結具
２１１    貫通孔
２１２    凸状部
２１３    挿入孔
２２      上部外管
２２１    凹状部
２２２    上部外管溝
２２３    通孔
２３      主骨固定リング
２４      上部外管蓋
２４１    シール材
２５      当材
２５１    シール材
３０      主骨
３１      支骨留
３１１    凹状部
３１２    支骨留溝
３１３    結合部
３１４    通孔
３２      支骨連結具
３２１    凸状部
３２２    貫通孔
３２３    挿入孔
３３      外管
３３１    結合孔
３４      支骨固定リング
３５      主骨支骨連結具
３５１    支骨挿入孔
３５２    支骨側貫通孔
３５３    凹状部
３６      主骨支骨留
３６１    円筒部
３６２    主骨挿入孔
３６３    板状部
３６４    主骨側貫通孔
３６５    主骨接合部
３７      主骨支骨リング
４０      支骨
５０      取手
６０      石突
【図１】
0003114175.tif 000003
【図２】
0003114175.tif 000004
【図３】
0003114175.tif 000005
【図４】
0003114175.tif 000006
【図５】
0003114175.tif 000007
【図６】
0003114175.tif 000008